(57)【要約】      （修正有）【課題】防護マスクとフードの顔出し窓の内周縁との間に隙間等が生じるため放射線が防護服内部に進入するのを効果的に防ぐことが可能な構造を備えた防護服のフード部を提供する。【解決手段】防護服の上衣と一体に設けられたフード１における顔出し窓２に、フード１を被る前に装着された防護マスクの外面と後から被ったフード１の顔出し窓２の間に生じる隙間を塞ぐためにフード１の顔出し窓２に対面した粘着面３ａを有する面状部材３を設けた。【選択図】図２
0003203949.tif 000002
【実用新案登録請求の範囲】
【請求項１】
防護服の上衣と一体に設けられたフードにおける顔出し窓に、前記フードを被る前に顔面に装着した防護マスクの外面と後から頭に被ったフードの前記顔出し窓の間に生じる隙間を塞ぐための粘着面を有る面状部材を設けたことを特徴とする防護服のフード部。
【請求項２】
面状部材は、前記顔出し窓の少なくとも下部の外面側に粘着面を顔出し窓に対面させて設けた請求項１に記載のフード部。
【請求項３】
面状部材は、顔出し窓の全周を取り巻く形態に設けた請求項１に記載のフード部。
【請求項４】
顔出し窓の全周を取り巻く面状部材は、請求項２の面状部材を顔出し窓の内周縁に沿って並べて設けるか、又は、平面略四角形の面状部材を顔出し窓の輪郭を適宜幅で覆うことが出来る幅の環帯状に形成した面状部材を設けた請求項３に記載のフード部。
【請求項５】
面状部材の粘着面には離型紙又は離型シートを設けた請求項２〜４のいずれかに記載のフード部。
【考案の詳細な説明】
【技術分野】
【０００１】
本考案は放射線管理区域等で着用する主として放射線防護服に適用して好適なフード部の構造に関する。
【背景技術】
【０００２】
放射線レベルが高い放射線管理区域で着用される防護服では、フードの中に放射線等が入るのを防ぐためのマスク（以下、防護マスクという）を着用するため、フード前面に形成した顔出し窓の輪郭とフード内に位置する防護マスク外面との境界部に隙間等が生じるが、前記境界部に隙間等があると防護服の中に放射線が進入してしまうという問題がある。
【０００３】
現状では、上記境界部の隙間を塞ぐため、フードの顔出し窓の輪郭に沿って当該輪郭と防護マスクの間をガムテープ等の粘着テープを貼着して塞ぐことが行われているが、このようにして隙間を塞いだ防護服でも、作業時に着用者が頭部を上下動させたり左右に向けたりすると、境界部の隙間を塞ぐために貼着していた粘着テープが剥離して前記隙間が再露出してしまい、放射線が防護服内部に入ってしまうという問題は未だ解決できていない。
【考案の概要】
【考案が解決しようとする課題】
【０００４】
そこで本考案では、防護服のフードの顔出し窓に、そのフードより先に装着する防護マスクと前記フードの顔出し窓の内周縁との間に隙間等が生じるため放射線が防護服内部に進入するのを効果的に防ぐことが可能な構造を備えた防護服のフード部を提供することを課題とする。
【課題を解決するための手段】
【０００５】
上記課題を解決することを目的としてなされた本考案フード部の構成は、防護服の上衣と一体に設けられたフードにおける顔出し窓に、前記フードを被る前に装着された防護マスクの外面と後から被ったフードの顔出し窓の間に生じる隙間を塞ぐために前記フードの顔出し窓に対面した粘着面を有する面状部材を設けたことを特徴とするものである。
【０００６】
上記構成における面状部材は、前記顔出し窓の少なくとも下部に設ければよい。前記面状部材を顔出し窓の全周を取り巻く形態に設けるとなおよい。なお、前記粘着面には離型シートや離型紙等による離型材を設けておき、使用時に前記離型材を外して用いる。
【０００７】
上記構成において、粘着面を有する面状部材としては、例えばガムテープを用いることができる。顔出し窓の全周に設ける前記面状部材は、例えばフード着用時の顔出し窓の使用時形状（フード装着時の窓の輪郭）よりも大きい面積の粘着材層を備えたシート状部材を、前記使用時形状に沿った形の環帯状（帯状環体）にプレスで打抜いたり、カッターで切出す等により形成した環帯状の面状部材を用いることもできる。また、顔出し窓の全周に設ける面状部材としては、顔出し窓の下部に設けた上記四角形の面状部材の複数枚を、前記顔出し窓の内周輪郭に沿って順次並べて設ける形態もある。
【０００８】
上記の本考案フード部を備えた防護服は、上下つなぎ服タイプの防護服、或は、上衣とズボン状の下衣に分離形成された上下分離タイプの防護服のいずれであってもよい。また、本考案を適用する顔出し窓も、その窓の周縁にゴム紐等の伸縮部材を装着したもの、或は、そのような伸縮部材が用いられていない周縁を有するもののいずれであってもよい。
【考案の効果】
【０００９】
本考案は、防護服の上衣と一体に設けられたフードにおける顔出し窓に、前記フードを被る前に顔面に装着された防護マスクの外面と、後から頭に被ったフードの顔出し窓の間に生じる隙間を塞ぐための粘着面を有る面状部材を設けたから、フードより先に顔に装着した防護マスクの外面と、後から頭に被ったフードの顔出し窓の開口部の縁との間に生じる隙間を省力的な手間で効果的に塞ぐことができる。
特に、顔出し窓の開口縁の下部は作業時等の顔（又は頭）の上げ下げによって前記マスク外面との間で大きくずれ動くことがあるため、従来の単にガムテープで留めただけのものではそのガムテープが外れてしまっていたが、本考案ではそのような状態においても、前記顔出し窓に設けた面状部材の作用で当該窓の縁が前記マスク外面からずれて隙間が形成されることがない。
【図面の簡単な説明】
【００１０】
【図１】本考案フード部の一例の正面図・
【図２】図１のフード部の側断面図。
【図３】本考案フード部の別例の正面図。
【考案を実施するための形態】
【００１１】
図１，図２において、１は放射線が防護服を含む上下つなぎタイプの作業服や上下分離タイプの作業服における上衣と一体に作られたフードで、前面に大略円形の顔出し窓２が形成されている。２ａは顔出し窓２の内周縁である。
【００１２】
前記作業服の素材は、適宜の化学繊維や天然繊維による織布や不織布、或は柔軟シート材や編布などによって形成されているものであれば、いずれの素材製の作業服であってもそのフード部に本考案を適用することができる。
【００１３】
前記作業服はその服が放射線管理区域で着用されるとき、放射線レベルが高い区域では作業服着用者の被ばくを抑えるため、前記フード１は、前記着用者が図３の例示の如く防護マスク４を着用してから頭部に被るようにしている。
【００１４】
しかし、防護マスク４を着用した上からフード１を被った場合、フード１の顔出し用窓２の内周縁２ａの全周が前記マスク４の外面にぴったり密着することは少ない。前記マスク４の形態が単純ではなくしかも不規則な凹凸部があるためである。
しかも、フード付き作業服の着用者は、様々な作業を行うため特に頭部の姿勢が一定ではなく、作業時にフード１を被った頭部が左、右を向いたり、上、下を向いたりして常に動くため、顔面に装着して顔と一体になっている防護マスク４と、頭に被っているフード１の動きの間でズレが生じ、これがフード１の顔出し窓２の内周縁２ａと前記マスク４の外面との間に隙間を作る大きな要因となっている。
【００１５】
しかし乍ら、作業時等において、フード１の顔出し窓２の内周縁２ａと防護マスク４の外表面との間に隙間が生じたのでは、被ばく防止のために防護マスク４を着用してフード１を被っている意義は半減してしまうという不都合がある。
【００１６】
そこで本考案は、上記のような不都合を予め防ぐことができる作業服用のフード部を提供することを目的としたものであるから、以下にその実施の形態例を図に拠り説明する。
【００１７】
着用している防護マスク４の外面とフード１の顔出し窓２の内周縁の密着が崩れるのは、例えばフード着用者が頭部を上下に振ったときである。
【００１８】
すなわち、フード着用者が頭を後傾させる（首を後ろに傾ける）と、防護マスク４は着用者の顔面と一体に後傾するのに対し、頭に被ったフード１は頭に密着していないので追従が遅れ加減になり、このためフード１の顔出し窓２が前記顔面の後傾に追随できず、前記マスク４の下端部外面から前記フード１の顔出し窓２の下部周縁が外れてしまい、この部分に隙間が生じてしまうのである。
【００１９】
上記の隙間が生じると、この隙間から作業環境中の放射線が作業服の内部に進入してしまい、被ばく防止のために着用している防護マスク４と被っているフード１の意義が減殺されてしまい不都合である。
【００２０】
そこで本考案では、顔に着用した防護マスク４の外面下部と、頭に被っているフード１の顔出し窓２の下部とが頭を動かすと離れやすいという点を改善するために、フード１の顔出し窓２の少なくとも、下部近傍に、防護マスク４の外面に対向した面に粘着面を有する面状部材３を設けた（図１，図２参照）。
【００２１】
フード１の顔出し窓２の内周縁２ａの下部に縫着３ｃや接着等により設けた粘着面３ａを有する面状部材３は、粘着面３ａに積層した紙やフィルム等による離型材３ｂを剥して当該粘着面３ａを反転させるように持上げ、持ち上げてマスク４の側に向いた粘着面３ａを着用している防護マスク４の下部外面に貼着させる（図３参照）。
【００２２】
こうすると、防護マスク４を着用してフード１を被った状態で頭を動かしても、防護マスク４とフード１の顔出し窓２の双方の下部における重なり部分が外れることがない。なお、図示した面状部材３の大きさ（幅，長さ）は、一例であって図示したものより大きいもの、或は小さいものもあり得る。また、面状部材３にはガムテープを使うことができる。
【００２３】
被ったフード１の顔出し窓２の全周縁２ａと、顔面に装着した防護マスク４の外面との密着性を確保するために、粘着面３ａを有する面状部材３は、顔出し窓２の下部のみならず、顔出し窓２の周縁２ａの全周に設けることがある（図３参照）。
図３の防護マスク４において、４１は該マスク４のベース部材の外輪郭線、４２はゴーグル部、４３は吸気フィルタ部、４４は呼気フィルタ部である。
【００２４】
面状部材３を顔出し窓２の全周に設ける形態の一例としては、上記の四角形状の面状部材３を、顔出し窓２の周縁２ａに沿って並べて設ける形態がある。
【００２５】
面状部材３を顔出し窓２の全周に設ける別の例としては、図３に例示するように、顔出し窓２の全周２ａを覆うことができる環帯状の面状部材３０を用いることができる。
【００２６】
環帯状（帯状環体）の面状部材３０の形成は、一例として顔出し窓２の全域をはみ出して覆うことができる粘着面を有する四角形のシート材を、環帯状にプレス等で打抜きしたりカッターで切出したりして形成し、フード１に対面した側をそのフード１に止着して配置する。
【００２７】
環帯状の面状部材３０の形成は、上記例に限られるものではなく、例えば、幅広ガムテープ等の粘着テープ材の長さ方向の一側に、長さ方向に沿って適宜ピッチで切り込みを入れて当該テープ材を略環帯状に形成したものでもよい。また、本発明が対象とする防護マスク４の形態は、図３に例示したもの以外の形態の防護マスクであってよい。
【００２８】
本考案は以上の通りであって、防護服の上衣と一体に設けられたフードにおける顔出し窓に、前記フードを頭に被る前に顔面に装着された防護マスクの外面と、後から頭に被ったフードの前記顔出し窓の間に生じる隙間を塞ぐための粘着面を有る面状部材を設けたから、フードの顔出し窓の周縁とマスクの外面の間を前記面状部材で塞ぐことが出来、従って、フードを被って頭を動かしても、該フードの顔出し窓２の周縁とフードの下に着用している防護マスクの外面との間に生じる隙間を効果的に塞ぐことができる。
【符号の説明】
【００２９】
１  フード
２  顔出し窓
２ａ  顔出し窓の周縁
３  略四角形の粘着面を有する面状部材
３ａ  粘着面
３ｂ  離型材
３ｃ  取付部
４  防護マスク
４１  防護マスク４のベース本体の外輪郭線
４２  ゴーグル部
４３  吸気フィルタ部
４４  呼気フィルタ部
３０  環状の粘着面を有する面状部材
【図１】
0003203949.tif 000003
【図２】
0003203949.tif 000004
【図３】
0003203949.tif 000005